(57)【要約】【課題】プラズマディスプレイ装置において、長期間黒を表示した場合においても、映像信号入力時に誤放電を発生させず表示品質の悪化を防ぐことを目的とする。【解決手段】プラズマディスプレイ装置であって、１フィールドのうち全てのサブフィールドにおける点灯率が特定の閾値以下となる無映像期間は、全セル初期化パルスの印加を停止するとともに、１フィールドのうち少なくとも１つのサブフィールドにおける前記点灯率が前記閾値を超える映像期間は、電圧が緩やかに上昇する期間の平均の電圧変化率が異なる２種類以上の全セル初期化パルスを印加するように構成し、かつ前記平均の電圧変化率が大きい全セル初期化パルスを印加する期間に先立って、平均の電圧変化率が小さい全セル初期化パルスを印加する期間を配置するように構成した。【選択図】図４
2009192594.tif 000002
【特許請求の範囲】
【請求項１】
複数の表示電極を配置した前面基板と前記表示電極に交差するようにデータ電極を配置した背面基板とを間に放電空間が形成されるように対向配置して複数の放電セルを形成したプラズマディスプレイパネルを有し、電圧が緩やかに上昇する期間を有しかつ全ての放電セルで初期化放電を発生させる全セル初期化パルスを印加する初期化期間と、発光させる放電セルを選択するアドレス期間と、このアドレス期間で選択した放電セルで維持放電を行う維持期間とを設けて発光表示を行うプラズマディスプレイ装置であって、１フィールドのうち全てのサブフィールドにおける点灯率が特定の閾値以下となる無映像期間は、全セル初期化パルスの印加を停止するとともに、１フィールドのうち少なくとも１つのサブフィールドにおける前記点灯率が前記閾値を超える映像期間は、電圧が緩やかに上昇する期間の平均の電圧変化率が異なる２種類以上の全セル初期化パルスを印加するように構成し、かつ前記平均の電圧変化率が大きい全セル初期化パルスを印加する期間に先立って、平均の電圧変化率が小さい全セル初期化パルスを印加する期間を配置するように構成したことを特徴とするプラズマディスプレイ装置。
【請求項２】
１フィールドのうち全てのサブフィールドにおける点灯率が特定の閾値以下となる無映像期間の長さを検出する無映像期間検出手段を設け、映像期間の直前の無映像期間の長さが特定の時間を超えたときに、映像期間において、平均の電圧変化率が大きい全セル初期化パルスを印加する期間に先立って、平均の電圧変化率が小さい全セル初期化パルスを印加する期間を配置するように構成したことを特徴とする請求項１記載のプラズマディスプレイ装置。
【請求項３】
特定の閾値以下となる無映像期間の長さの時間は１５秒〜３分であることを特徴とする請求項６記載のプラズマディスプレイ装置。
【請求項４】
平均の電圧変化率が小さい全セル初期化パルスの電圧は、平均の電圧変化率が大きい全セル初期化パルスの電圧よりも高くしたことを特徴とする請求項１または２記載のプラズマディスプレイ装置。
【請求項５】
映像期間のうち、最初のフィールドにおいて平均の電圧変化率が小さい全セル初期化パルスを印加し、２番目以降のフィールドにおいて平均の電圧変化率が大きい全セル初期化パルスを印加するように構成したことを特徴とする請求項１または２記載のプラズマディスプレイ装置。
【請求項６】
平均の電圧変化率が小さい全セル初期化パルスの電圧変化率は０．６Ｖ／μｓｅｃ以下であることを特徴とする請求項１または２記載のプラズマディスプレイ装置。
【請求項７】
特定の閾値は０であることを特徴とする請求項１または２記載のプラズマディスプレイ装置。
【発明の詳細な説明】
【技術分野】
【０００１】
本発明は、プラズマディスプレイパネル（以下、パネルという）を表示デバイスとして用いたプラズマディスプレイ装置に関するものである。
【背景技術】
【０００２】
このプラズマディスプレイ装置に用いられるパネルは、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のものである。
【０００３】
この面放電型のプラズマディスプレイパネル構造は、少なくとも前面側が透明な一対の基板を基板間に放電空間が形成されるように対向配置するとともに、前記放電空間を複数に仕切るための隔壁を基板に配置し、かつ前記隔壁により仕切られた放電空間で放電が発生するように基板に電極群を配置するとともに放電により発光する赤色、緑色、青色に発光する蛍光体を設けて複数の放電セルを構成したもので、放電により発生する波長の短い真空紫外光によって蛍光体を励起し、赤色、緑色、青色の放電セルからそれぞれ赤色、緑色、青色の可視光を発することによりカラー表示を行っている。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
このようなプラズマディスプレイ装置においては、パネルの駆動方法として、アドレス放電を生じやすい状態に壁電荷を調整する初期化期間と、入力映像信号に応じてアドレス放電を行うアドレス期間と、アドレス放電が生じた放電セルで維持放電を生じさせることによって表示発光を行う維持期間を含むサブフィールドという単位を１フィールド内で複数回繰り返すことによってプラズマディスプレイ装置の階調表示を行う方法が一般的に用いられる。
【０００６】
このうち、初期化期間には、初期化パルスを印加して直前の状態に関係なく初期化放電を生じさせる全セル初期化期間と、直前に維持放電が生じたセルのみ初期化放電を生じさせる選択初期化期間の２種類があり、全セルに毎回必ず放電を生じさせて黒表示の輝度を上昇させる全セル初期化パルスを先頭のサブフィールドのみに設けることによって、１フィールドにおける初期化放電の回数を低減し、コントラストの向上を図る方法が用いられる（特許文献１参照）。
【特許文献１】特開２００６−１９５３２８号公報
【発明の開示】
【発明が解決しようとする課題】
【０００７】
ところで、プラズマディスプレイ装置において、全ての放電セルが発光しない全画面黒表示の映像信号が入力された場合、全ての放電セルにおいてアドレス放電を生じさせる必要がないため、全セル初期化放電が必要なくなる。よって、全画面黒表示において全セル初期化パルスの印加を停止すれば黒輝度がほぼ０となって、高いコントラストが実現できる。
【０００８】
しかし、このような駆動方法を用いた場合、全画面に黒を表示する期間に長く滞在した後に再び映像信号が入力されると、最初のフィールドにおける全セル初期化パルスで誤放電が発生して表示品質が悪化するという課題があった。
【０００９】
本発明はこのような現状に鑑みなされたもので、長期間黒を表示した場合においても、映像信号入力時に誤放電を発生させず表示品質の悪化を防ぐことを目的とする。
【課題を解決するための手段】
【００１０】
この課題を解決するために本発明は、複数の表示電極を配置した前面基板と前記表示電極に交差するようにデータ電極を配置した背面基板とを間に放電空間が形成されるように対向配置して複数の放電セルを形成したプラズマディスプレイパネルを有し、電圧が緩やかに上昇する期間を有しかつ全ての放電セルで初期化放電を発生させる全セル初期化パルスを印加する初期化期間と、発光させる放電セルを選択するアドレス期間と、このアドレス期間で選択した放電セルで維持放電を行う維持期間とを設けて発光表示を行うプラズマディスプレイ装置であって、１フィールドのうち全てのサブフィールドにおける点灯率が特定の閾値以下となる無映像期間は、全セル初期化パルスの印加を停止するとともに、１フィールドのうち少なくとも１つのサブフィールドにおける前記点灯率が前記閾値を超える映像期間は、電圧が緩やかに上昇する期間の平均の電圧変化率が異なる２種類以上の全セル初期化パルスを印加するように構成し、かつ前記平均の電圧変化率が大きい全セル初期化パルスを印加する期間に先立って、平均の電圧変化率が小さい全セル初期化パルスを印加する期間を配置するように構成したことを特徴とする。
【発明の効果】
【００１１】
本発明によれば、映像期間の開始時に電圧が緩やかに上昇する期間の平均の電圧変化率が小さい全セル初期化パルスを印加することによって、全セル初期化パルス印加時に発生する誤放電を防ぐことができるため、表示品質が悪化することなく高いコントラストを実現できるプラズマディスプレイ装置を得ることができる。
【発明を実施するための最良の形態】
【００１２】
以下、本発明の実施の形態によるプラズマディスプレイ装置について、図１〜図１０を用いて説明するが、本発明の実施の態様はこれに限定されるものではない。
【００１３】
まず、プラズマディスプレイ装置におけるパネルの構造について図１を用いて説明する。図１に示すように、パネルは、ガラス製の前面基板１と背面基板２とを、その間に放電空間を形成するように対向配置することにより構成されている。前面基板１上には表示電極を構成する走査電極３と維持電極４とが互いに平行に対をなして複数形成されている。そして、走査電極３および維持電極４を覆うように誘電体層５が形成され、誘電体層５上には保護層６が形成されている。
【００１４】
また、背面基板２上には絶縁体層７で覆われた複数のデータ電極８が設けられ、その絶縁体層７上には井桁状の隔壁９が設けられている。また、絶縁体層７の表面および隔壁９の側面に蛍光体層１０が設けられている。そして、走査電極３および維持電極４とデータ電極８とが交差するように前面基板１と背面基板２とが対向配置されており、その間に形成される放電空間には、放電ガスとして、例えばネオンとキセノンの混合ガスが封入されている。なお、パネルの構造は上述したものに限られるわけではなく、例えばストライプ状の隔壁を備えたものであってもよい。
【００１５】
図２はこのパネルの電極配列図である。行方向にｎ本の走査電極ＳＣ１〜ＳＣｎ（図１の走査電極３）およびｎ本の維持電極ＳＵ１〜ＳＵｎ（図１の維持電極４）が配列され、列方向にｍ本のデータ電極Ｄ１〜Ｄｍ（図１のデータ電極８）が配列されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００１６】
図３は本発明の実施の形態によるプラズマディスプレイ装置の回路ブロック図である。本発明の実施の形態によるプラズマディスプレイ装置は、パネル１１、映像信号処理回路１２、データ電極駆動回路１３、走査電極駆動回路１４、維持電極駆動回路１５、タイミング発生回路１６、点灯率検出回路１７および電源回路（図示せず）を備えている。
【００１７】
映像信号処理回路１２は、映像信号をサブフィールド毎の映像データに変換する。データ電極駆動回路１３はサブフィールドごとの映像データを各データ電極Ｄ１〜Ｄｍに対応する信号に変換し、各データ電極Ｄ１〜Ｄｍを駆動する。タイミング発生回路１６は水平同期信号Ｈおよび垂直同期信号Ｖをもとにして各種のタイミング信号を発生し、各駆動回路ブロックに供給している。点灯率検出回路１７はサブフィールド毎の映像データより各サブフィールドが全ての放電セルのうち表示発光を行う放電セルの割合を演算し、サブフィールドごとの点灯率としてタイミング発生回路１６に供給する。走査電極駆動回路１４はタイミング信号にもとづいて走査電極ＳＣ１〜ＳＣｎに駆動電圧波形を供給し、維持電極駆動回路１５はタイミング信号にもとづいて維持電極ＳＵ１〜ＳＵｎに駆動電圧波形を供給する。
【００１８】
本発明のプラズマディスプレイ装置においては、１フィールドを複数のサブフィールドに分割し、各サブフィールドに発光させる放電セルを選択するアドレス期間と、このアドレス期間で選択した放電セルで維持放電を行う維持期間とを設けて発光表示を行うとともに、各サブフィールドにおける維持期間に印加する維持パルスの数の重み付けを制御することにより階調制御を行っている。また、パネルの放電セルの電荷を調整するために、適宜、全ての放電セルで初期化放電を発生させる全セル初期化パルスを印加する初期化期間を設けている。
【００１９】
図４に、本実施の形態における映像信号による全セル初期化パルスの印加方法を示している。なお、全セル初期化パルスとは、直前の状態によらず全ての放電セルにおいて書き込み放電を安定して行うための初期化放電を生じさせるための電圧パルスであり、詳細な駆動電圧波形は後述する。また、映像信号の有無は、点灯率検出回路によって検出された各サブフィールドの点灯率によって判定される。すなわち、１フィールドにおいて１つ以上のサブフィールドの点灯率が０ではない場合は映像信号があると判定し、全てのサブフィールドの点灯率が０である場合は映像信号がなくなったと判定する。
【００２０】
図４に示すように、映像信号の有無によって、全セル初期化パルスの印加方法を切り替えるように構成するとともに、映像信号がある場合は、さらに全セル初期化パルスＡを印加する状態および全セル初期化パルスＢを印加する状態の２つの状態を設けている。すなわち、映像信号がある場合は、最初の１フィールドでは全セル初期化パルスＡを印加する状態を配置し、そして、２フィールド目以降に全セル初期化パルスＢを印加する状態を配置する。一方、映像信号がない場合は全セル初期化パルスなしの状態としている。なお、本実施の形態においては、映像信号の有無を判定するためのサブフィールドの点灯率の閾値を０と設定しているが、閾値を０以外の低い値に設定してもよい。
【００２１】
次に、それぞれの状態における駆動電圧波形とその動作について図５〜図７を用いて説明する。
【００２２】
図５は、上述の全セル初期化パルスＡを印加する全セル初期化期間において、パネルの各電極に印加される駆動電圧波形のうち、ｉ行目の表示ラインを構成する走査電極および維持電極に印加する駆動電圧波形およびｊ列目のデータ電極に印加する駆動電圧波形を示している。
【００２３】
全セル初期化期間の駆動電圧波形においては、１フィールドを複数のサブフィールドに分割し、それぞれのサブフィールドは初期化期間、書込み期間、維持期間を有している。
【００２４】
第１サブフィールドの初期化期間では、データ電極Ｄｊおよび維持電極ＳＵｉを０（Ｖ）に保持し、走査電極ＳＣｉに対して放電開始電圧以下となる電圧（Ｖａ−Ｖｓｃ）から放電開始電圧を超える電圧Ｖｒ１に向かって上りランプ期間Ｔｒ１の間だけ緩やかに上昇するランプ電圧を印加する。すると、全ての放電セルにおいて１回目の微弱な初期化放電を起こし、走査電極ＳＣｉ上に負の壁電圧が蓄えられるとともに維持電極ＳＵｉ上およびデータ電極Ｄｊ上に正の壁電圧が蓄えられる。ここで、電極上の壁電圧とは電極を覆う誘電体層や蛍光体層上等に蓄積した壁電荷により生じる電圧を指す。この第１サブフィールドの初期化パルスは、全ての放電セルに初期化放電を発生させるため、全セル初期化パルスと呼ばれる。
【００２５】
その後、維持電極ＳＵｉを正の電圧Ｖｅに保ち、走査電極ＳＣｉに電圧Ｖｓから電圧Ｖｓｃ２に向かって緩やかに下降するランプ電圧を印加する。すると、すべての放電セルにおいて２回目の微弱な初期化放電を起こし、走査電極ＳＣｉ上と維持電極ＳＵｉ上との間の壁電圧が弱められ、データ電極Ｄｊ上の壁電圧も書込み動作に適した値に調整される。
【００２６】
続く書込み期間では、走査電極ＳＣｉを一旦Ｖａに保持する。次に、その表示ラインの書き込みを行うタイミングで負の走査パルス電圧Ｖｓｃを印加するとともに、データ電極Ｄｊに正の書込みパルス電圧Ｖｄを印加する。このときデータ電極Ｄｊと走査電極ＳＣｉとの交差部の電圧は、外部印加電圧（Ｖｄ−Ｖｓｃ）にデータ電極Ｄｊ上の壁電圧と走査電極ＳＣｉ上の壁電圧とが加算されたものとなり、放電開始電圧を超える。そして、データ電極Ｄｊと走査電極ＳＣｉとの間および維持電極ＳＵｉと走査電極ＳＣｉとの間に書込み放電が起こり、この放電セルの走査電極ＳＣｉ上に正の壁電圧が蓄積され、維持電極ＳＵｉ上に負の壁電圧が蓄積され、データ電極Ｄｊ上にも負の壁電圧が蓄積される。
【００２７】
このようにして、ｉ行目のｊ列目に表示すべき放電セルで書込み放電を起こして各電極上に壁電圧を蓄積する書込み動作が行われる。一方、書込みパルス電圧Ｖｄが印加されない場合は、データ電極Ｄｊと走査電極ＳＣｉとの交差部の電圧は放電開始電圧を超えないので、書込み放電は発生しない。以上の書込み動作をｎ行目の放電セルに至るまで順次行った後に、書込み期間が終了する。
【００２８】
続く維持期間では、走査電極ＳＣｉには第１の電圧として正の維持パルス電圧Ｖｓを、維持電極ＳＵｉには第２の電圧として接地電位、すなわち０（Ｖ）をそれぞれ印加する。このとき書込み放電を起こした放電セルにおいては、走査電極ＳＣｉ上と維持電極ＳＵｉ上との間の電圧は維持パルス電圧Ｖｓに走査電極ＳＣｉ上の壁電圧と維持電極ＳＵｉ上の壁電圧とが加算されたものとなり、放電開始電圧を超える。そして、走査電極ＳＣｉと維持電極ＳＵｉとの間に維持放電が起こり、このとき発生した紫外線により蛍光体層が発光する。そして走査電極ＳＣｉ上に負の壁電圧が蓄積され、維持電極ＳＵｉ上に正の壁電圧が蓄積される。このときデータ電極Ｄｊ上にも正の壁電圧が蓄積される。
【００２９】
書込み期間において書込み放電が起きなかった放電セルでは、維持放電は発生せず、初期化期間の終了時における壁電圧が保持される。続いて、走査電極ＳＣｉには第２の電圧である０（Ｖ）を、維持電極ＳＵｉには第１の電圧である維持パルス電圧Ｖｓをそれぞれ印加する。すると、維持放電を起こした放電セルでは、維持電極ＳＵｉ上と走査電極ＳＣｉ上との間の電圧が放電開始電圧を超えるので、再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。
【００３０】
以降同様に、走査電極ＳＣｉと維持電極ＳＵｉとに交互に輝度重みに応じた数の維持パルスを印加することにより、書込み期間において書込み放電を起こした放電セルで維持放電が継続して行われる。こうして維持期間における維持動作が終了する。
【００３１】
続くサブフィールドにおける初期化期間、書込み期間、維持期間の動作も第１サブフィールドにおける動作とほぼ同様な動作で、第１サブフィールドと異なるのは、第２サブフィールドの初期化パルスＰｒ２の電圧がＶｓであるため、全ての放電セルで初期化放電を起こすのではなく、直前のサブフィールドである第１サブフィールドで維持放電が発生したときのみに、初期化放電を起こすという点である。
【００３２】
図６は、上述の全セル初期化パルスの印加を停止する状態において、パネルの各電極に印加される駆動電圧波形のうち、ｉ行目の表示ラインを構成する走査電極および維持電極に印加する駆動電圧波形およびｊ列目のデータ電極に印加する駆動電圧波形を示している。
【００３３】
全セル初期化パルスを印加しない期間の駆動電圧波形においては、１フィールドを複数のサブフィールドに分割し、第１サブフィールドは書込み期間、維持期間を有し、第２サブフィールド以降は初期化期間、書込み期間、維持期間を有している。
【００３４】
図５に示す全セル初期化期間における駆動電圧波形との違いは、第１サブフィールドの初期化期間がなくなることだけであり、全セル初期化パルスを印加しないフィールドでは、全セル初期化パルスによる初期化放電が発生せず、さらに映像信号がない場合にのみ出現するため、書き込み放電および維持放電も発生しない。よって、放電による発光が生じていない状態となる。
【００３５】
図７は、上述の全セル初期化パルスＢを印加する全セル初期化期間において、パネルの各電極に印加される駆動電圧波形のうち、ｉ行目の表示ラインを構成する走査電極および維持電極に印加する駆動電圧波形およびｊ列目のデータ電極に印加する駆動電圧波形を示している。
【００３６】
全セル初期化パルスＢを印加する状態における駆動電圧波形は、第１サブフィールドの初期化期間以外は全セル初期化パルスＡを印加する状態における駆動電圧波形と同じである。
【００３７】
全セル初期化パルスＢを印加する状態における第１サブフィールドの初期化期間では、データ電極Ｄｊおよび維持電極ＳＵｉを０（Ｖ）に保持し、走査電極ＳＣｉに対して放電開始電圧以下となる電圧（Ｖａ−Ｖｓｃ）から放電開始電圧を超える電圧Ｖｒ１に向かってＴｒ２＞Ｔｒ１となるような上りランプ期間Ｔｒ２の間だけ緩やかに上昇するランプ電圧を印加する。このようにすることで、全セル初期化パルスの上りランプ期間Ｔｒ２における電圧の変化率が、全セル初期化パルスＡを印加する場合に比べて小さく設定されることとなる。
【００３８】
無映像期間がある期間以上続き、全セル初期化パルスが印加されずに全く初期化放電が発生しない期間が長期間続くと、放電セル内には放電による空間電荷（プライミング粒子）がほとんどなくなってしまい、放電セルに印加される電圧が放電開始電圧を超えてから実際に放電が発生するまでの時間が長くなる。この状態で全セル初期化パルスを印加し、放電開始電圧より高い電圧までランプ電圧のように緩やかに電圧を上昇させると、放電開始電圧を超えてから放電が発生するまでの時間が通常より長くなって、放電が発生する瞬間の電圧が高くなる。このため、上昇するランプ電圧の印加中に発生する放電が強くなって強放電となり、走査電極ＳＣｉおよび維持電極ＳＵｉ間に多量の異常な壁電圧が蓄えられる。この異常壁電圧によって下降するランプ電圧を印加している間においても強放電が発生して、あたかも書き込み放電が行われたのと同じような壁電圧が走査電極ＳＣｉおよび維持電極ＳＵｉ上に蓄えられ、書き込みパルスを印加していなくても維持期間に誤放電が発生してしまう。この誤放電は強い異常発光となってプラズマディスプレイの表示品質を悪化させる。
【００３９】
本発明の実施の形態によれば、全セル初期化パルスを印加しない期間から全セル初期化パルスを印加する期間に切り替わる際に、全セル初期化パルスを印加する期間の最初のフィールドは全セル初期化パルスＢを印加する状態、すなわち平均の電圧変化率が小さいランプ電圧の全セル初期化パルスを印加するため、上述のように上昇するランプ電圧を印加する際の強放電の発生が抑制され、続く維持期間における誤放電が発生しなくなるため、表示品質の悪化を防ぐことができる。このとき、全セル初期化パルスＢを印加する状態における全セル初期化パルスのランプ電圧の電圧変化率を０．６Ｖ／μｓｅｃ以下に設定することで、前述の強放電を抑制するのに十分な効果が得られる。
【００４０】
また本発明の実施の形態によれば、平均の電圧変化率が小さい全セル初期化パルスＢを印加する状態の後の２番目移行のフィールドは、平均の電圧変化率が大きい全セル初期化パルスＡを印加する状態とすることで、全セル初期化パルスの上りランプ期間を（Ｔｒ２−Ｔｒ１）の時間だけ短く設定することが可能となり、短縮した時間を維持パルス数の増加に充てることで、プラズマディスプレイの輝度を向上させることができ、表示性能の向上が実現できる。
【００４１】
上述したように、本発明の実施の形態においては、無映像期間から映像期間に切り替わる際に、電圧が緩やかに上昇する期間の平均の電圧変化率が異なる２種類以上の全セル初期化パルスを印加するように構成し、かつ前記平均の電圧変化率が大きい全セル初期化パルスを印加する期間に先立って、平均の電圧変化率が小さい全セル初期化パルスを印加する期間を配置するように構成したことにより、誤放電の発生を抑えることが可能となり、表示品位を損なうことなく高コントラストを実現できるプラズマディスプレイ装置を提供することができる。
【００４２】
図８は、本発明の他の実施の形態による駆動波形を示している。この図８に示す実施の形態においては、全セル初期化パルスＢを印加する状態における駆動電圧波形のうち、第１サブフィールドの初期化期間のみを上記実施の形態と異なる構成としたもので、それ以外は上記の実施の形態と同様な駆動電圧波形としたものである。なお、図８においては、全セル初期化パルスＢを印加する状態において、パネルの各電極に印加される駆動電圧波形のうち、ｉ行目の表示ラインを構成する走査電極および維持電極に印加する駆動電圧波形およびｊ列目のデータ電極に印加する駆動電圧波形を示している。
【００４３】
図８に示すように、本実施の形態においては、全セル初期化パルスＢを印加する第１サブフィールドの初期化期間では、データ電極Ｄｊおよび維持電極ＳＵｉを０（Ｖ）に保持し、走査電極ＳＣｉに対して放電開始電圧以下となる電圧（Ｖａ−Ｖｓｃ）から放電開始電圧を超える電圧Ｖｒ２に向かってＴｒ３＞Ｔｒ２となるような上りランプ期間Ｔｒ３の間だけ緩やかに上昇するランプ電圧を印加する。ここで、Ｖｒ２はＶｒ１よりも高くなるように設定する。このようにすることで、全セル初期化パルスの上りランプ期間Ｔｒ２における電圧の変化率が、全セル初期化パルスＡを印加する場合に比べて小さく設定できるとともに、全セル初期化パルスのピーク電圧を高くすることができる。
【００４４】
すなわち、無映像期間がある期間以上続き、全セル初期化パルスが印加されずに全く初期化放電が発生しない期間が長期間続くと、前述したとおり、放電セル内には放電による空間電荷（プライミング粒子）がほとんどなくなってしまい、放電セルに印加される電圧が放電開始電圧を超えてから実際に放電が発生するまでの時間が長くなるが、同時に放電開始電圧も上昇する。この放電開始電圧の上昇が大きくなると、初期化放電が発生しない放電セルが生じ、正常な壁電圧を蓄えることができなくなるため、書き込み放電が不十分になって維持放電による表示発光が弱くなってやはり表示品質が悪化する。
【００４５】
本実施の形態によれば、全セル初期化パルスを印加しない期間の後の最初のフィールドを、図８に示すような全セル初期化パルスＢを印加する状態、すなわち全セル初期化パルスのランプ電圧の電圧変化率を小さくするとともに、平均の電圧変化率が小さい全セル初期化パルスの電圧は、平均の電圧変化率が大きい全セル初期化パルスの電圧よりも高くすることにより、上述のような上昇するランプ電圧印加中の強放電が発生しにくくなり、さらに初期化放電が生じない放電セルをなくすことが可能となって、表示品質の悪化を防ぐことができる。このとき、全セル初期化パルスＢを印加する状態における全セル初期化パルスのランプ電圧の電圧変化率を０．６Ｖ／μｓｅｃ以下に設定することで、前述の強放電を抑制するのに十分な効果が得られる。
【００４６】
また、本実施の形態によれば、全セル初期化パルスを印加して初期化放電が発生した後には、全セル初期化パルスＡを印加する状態とする、すなわち映像期間のうち、最初のフィールドにおいて平均の電圧変化率が小さい全セル初期化パルスを印加し、２番目以降のフィールドにおいて平均の電圧変化率が大きい全セル初期化パルスを印加するように構成したことにより、全セル初期化パルスの上りランプ期間を（Ｔｒ３−Ｔｒ１）の時間だけ短く設定することが可能となり、短縮した時間を維持パルス数の増加等に充てることで、プラズマディスプレイの輝度向上等による表示性能の向上が実現できる。
【００４７】
図９は、本発明の他の実施の形態において、全セル初期化パルスの印加方法を示すものである。
【００４８】
図９に示すように、本実施の形態においては、映像信号がない状態から映像信号がある状態に切り替わる際に、直前の無映像期間の長さを参照し、無映像期間が１５秒よりも長い場合だけ、上記実施の形態で説明したように、映像信号がある映像期間において最初のフィールドで全セル初期化パルスＢを印加する初期化期間を設け、その後のフィールドで全セル初期化パルスＡを印加する初期化期間を設けるものである。一方、無映像期間が１５秒よりも短い場合は、図９に示すように、映像信号がある状態に切り替わった直後でも全セル初期化パルスＡを印加する初期化期間とする。
【００４９】
このように構成することで、無映像期間が短い場合には映像信号がある状態における最初のフィールドと２番目のフィールドとの間の輝度差による表示品質の悪化を少なくすることができ、より表示品質の高いプラズマディスプレイ装置を提供することができる。
【００５０】
なお、無映像期間の長さによる切り替え閾値を１５秒に設定したが、これは通常の映像において、全画面黒表示の映像が続く期間がほぼ１５秒以内であることと、無映像期間が３分以上続かないと、全セル初期化パルス印加時の誤放電が発生しないことから設定した値であり、１５秒〜３分の間であれば、どの時間に設定しても本発明の効果は得られる。
【００５１】
図１０は、図９に示す実施の形態を実施するための回路ブロック図である。図３に示す回路ブロックと異なる点は、１フィールドのうち全てのサブフィールドにおける点灯率が特定の閾値以下となる無映像期間の長さを検出する無映像期間検出手段としての無映像期間検出回路１８を備えている点である。
【００５２】
図１０において、無映像期間検出回路１８は、点灯率検出回路１７から受け取った各サブフィールドの点灯率から、１フィールドのうち全てのサブフィールドにおける点灯率が特定の閾値以下となる無映像期間の長さを演算し、それに基づき、タイミング発生回路１６の動作を制御するものである。すなわち、１フィールドのうち全てのサブフィールドにおける点灯率が特定の閾値以下となる無映像期間の長さを検出し、映像期間の直前の無映像期間の長さが特定の時間（１５秒〜３分）を超えたときに、映像期間において、平均の電圧変化率が大きい全セル初期化パルスＡを印加する期間に先立って、平均の電圧変化率が小さい全セル初期化パルスＢを印加する期間を配置するように制御するものである。なお、全セル初期化パルスＡを印加するフィールド、及び全セル初期化パルスＢを印加するフィールドにおける駆動電圧波形は、上記実施の形態において説明した図５〜図８に示す駆動電圧波形と同様な波形を印加すれば、上記実施の形態で述べた作用効果と同様な作用効果を得ることができる。
【産業上の利用可能性】
【００５３】
以上のように本発明は、高コントラストのプラズマディスプレイ装置を提供する上で有用な発明である。
【図面の簡単な説明】
【００５４】
【図１】本発明の実施の形態によるプラズマディスプレイ装置に用いるパネルの要部を示す斜視図
【図２】同パネルの電極配列図
【図３】同プラズマディスプレイ装置の回路ブロック図
【図４】同プラズマディスプレイ装置の全セル初期化パルスの印加方法を示す説明図
【図５】同プラズマディスプレイ装置の要部の駆動電圧波形を示す波形図
【図６】同プラズマディスプレイ装置の要部の駆動電圧波形を示す波形図
【図７】同プラズマディスプレイ装置の要部の駆動電圧波形を示す波形図
【図８】本発明の他の実施の形態によるプラズマディスプレイ装置の要部の駆動電圧波形を示す波形図
【図９】本発明の他の実施の形態によるプラズマディスプレイ装置の全セル初期化パルスの印加方法を示す説明図
【図１０】同プラズマディスプレイ装置の回路ブロック図
【符号の説明】
【００５５】
１  前面基板
２  背面基板
３  走査電極
４  維持電極
８  データ電極
１１  パネル
１７  点灯率検出回路
１８  無映像期間検出回路
【図１】
2009192594.tif 000003
【図２】
2009192594.tif 000004
【図３】
2009192594.tif 000005
【図４】
2009192594.tif 000006
【図５】
2009192594.tif 000007
【図６】
2009192594.tif 000008
【図７】
2009192594.tif 000009
【図８】
2009192594.tif 000010
【図９】
2009192594.tif 000011
【図１０】
2009192594.tif 000012